(57)【特許請求の範囲】
【請求項１】
本体部分Ｂと蓋部分Ｃからなるスライド式手帳型カバーにおいて、蓋部分Ｃが、蓋ｃとヒンジ部ｈからなり、本体部分Ｂの端部Ｂｅと蓋部分Ｃのヒンジ部ｈの端部ｈｅが回転自在にピン結合されてなり、本体部分Ｂの表面Ｂ１にスライド機構ＳＭが搭載されてなり、スライド機構ＳＭは、スライド枠ＳＦとスライド板ＳＰからなり、スライド板ＳＰがスライド枠ＳＦの間をスライドし、スライド板ＳＰの表面ＳＰ１に携帯端末装置Ｐｈを接合してなるスライド式手帳型カバー１００において、
山型状の板バネＫが、第１の山型面ｋｍ１と第２の山型面ｋｍ２からなる山型状の山型面ｋｍから構成され、
山型状の板バネＫの下辺Ｋ１がスライド板ＳＰの裏面Ｐ１と結合され、第１の斜面ｓｌ１と第２の斜面ｓｌ２と平面ｐｌからなる台形状台座ＳＴがスライド機構ＳＭの底部Ｐ２と固着されてなり、
スライド板ＳＰがスライド機構ＳＭに格納された状態から上方にスライドする場合、
先ず、第１の山型面のｋｍ１が、台形状台座ＳＴの第２の斜面ｓｌ２と接触しながら台形状台座ＳＴの平面ｐｌに昇り、
次いで、板バネＫの山型面ｋｍの頂点ｔｐが、台形状台座ＳＴの平面ｐｌに接触したまま、スライド板ＳＰはスライド方向にスライドし、
そして、第２の山型面ｋｍ２が第１の斜面ｓｌ１と接触しながら台形状台座ＳＴの平面ｐｌから降り
板バネＫの山型面ｋｍの頂点ｔｐが台形状台座ＳＴの斜面ｓｌ１にあって、上方のストッパーＳｔ１までスライド板ＳＰが押し付けられることを特徴とするスライド式手帳型カバー１００。
【請求項２】
スライド板ＳＰが上方にスライドされた状態からスライド機構ＳＭに格納された状態までスライドする場合、
先ず、第２の山型面ｋｍ２が、第１の斜面ｓｌ１と接触しながら台形状台座ＳＴの平面ｐｌに昇り、
次いで、板バネＫの山型面ｋｍの頂点ｔｐが、台形状台座ＳＴの平面ｐｌに接触したまま、スライド板ＳＰはスライド方向にスライドし、
そして、第１の山型面のｋｍ１が第２の斜面ｓｌ２と接触しながら台形状台座ＳＴの平面ｐｌから降り、
板バネＫの山型面ｋｍの頂点ｔｐが台形状台座ＳＴの斜面ｓｌ２にあって、下方のストッパーＳｔ２までスライド板ＳＰが押し付けられることを特徴とする請求項１に記載されたスライド式手帳型カバー１００。
【請求項３】
スライド板ＳＰがスライド機構ＳＭに格納された状態から、あるいは、スライド板ＳＰが上方にスライドされた状態から、板バネＫの山型面ｋｍの頂点ｔｐが、台形状台座ＳＴの平面ｐｌに接触したまま、スライド板ＳＰはスライド方向にスライドする状態において、板バネＫに蓄えられるエネルギーＥが、（１）式で表されると共に、
板バネＫの山型面ｋｍの頂点ｔｐが台形状台座ＳＴの斜面ｓｌ１又は斜面ｓｌ２を降りる状態において、板バネＫに蓄えられたエネルギーＥを減じながら、スライド板ＳＰがスライド方向にスライドすることを特徴とする請求項１〜２の何れかに記載されたスライド式手帳型カバー１００。
Ｅ＝Ｃｋ×（ｈ−ｈ０）×（ｈ−ｈ０）／２……（１）
ここに、Ｃｋ：板バネＫのバネ定数（Ｋｇ重／ｃｍ）
ｈ：山型面ｋｍの頂点ｔｐの高さ（ｃｍ）
ｈ０：板バネＫに外力が作用しない場合の山型面ｋｍの頂点ｔｐの高さ（ｃｍ）
【請求項４】
板バネＫの山型面ｋｍの頂点ｔｐが台形状台座ＳＴの斜面ｓｌ１にあって、上方のストッパーＳｔ１までスライド板ＳＰを押し付けるか、あるいは、板バネＫの山型面ｋｍの頂点ｔｐが台形状台座ＳＴの斜面ｓｌ２にあって、下方のストッパーＳｔ２までスライド板ＳＰを押し付けることを特徴とする請求項１〜３の何れかに記載されたスライド式手帳型カバー１００。
【請求項５】
携帯端末装置Ｐｈに内蔵のカメラを使用する場合、スライド板ＳＰをスライドさせて、携帯端末装置Ｐｈのカメラ穴ＣＨがスライド式手帳型カバー１００の外側に張り出すようにし、携帯端末装置Ｐｈに内蔵のカメラを使用しない場合、スライド板ＰＨをスライドさせて、携帯端末装置Ｐｈのカメラ穴ＣＨがスライド式手帳型カバー１００の内側に収まるようにすることを特徴とする請求項１〜４の何れかに記載されたスライド式手帳型カバー１００。
【請求項６】
蓋部分Ｃが、蓋ｃとヒンジ部ｈと接合補助部ｓｈからなり、本体部分Ｂの中央部Ｂｃと接合補助部ｓｈの端部ｓｈ１が回転自在にピン結合されてなると共に、蓋部分Ｃの表面Ｃ１に第一の色（Ｒｄ）を着色し、蓋部分Ｃの裏面Ｃ２に第二の色（Ｂｋ）を着色してなり、本体部Ｂの裏面Ｂ２の半面Ｂ２１に第一の色（Ｒｄ）を着色し、本体部Ｂの裏面Ｂ２の半面Ｂ２２に第二の色（Ｂｋ）を着色してなり、本体部分Ｂの中央部Ｂｃと接合補助部ｓｈの端部ｓｈｅの接合部Ｂｓｈにおいて、蓋部分Ｃの表面Ｃ１の第一の色（Ｒｄ）と本体部Ｂの裏面Ｂ２の半面Ｂ２１の第一の色（Ｒｄ）とが同じになるように連続してなり、蓋部分Ｃの裏面Ｃ２の第二の色（Ｂｋ）と本体部Ｂの裏面Ｂ２の半面Ｂ２２の第二の色（Ｒｄ）が同じになるように連続してなることを特徴とする請求項１〜５の何れかに記載されたスライド式手帳型カバー１００。
【請求項７】
本体部分Ｂの表面Ｂ１の全面に第一の色（Ｒｄ）／又は第二の色（Ｂｋ）／又は第三の色（Ｂｅ）を着色してなることを特徴とする請求項１〜６の何れかに記載されたスライド式手帳型カバー。
【請求項８】
本体部分Ｂの中央部Ｂｃと接合補助部ｓｈの端部ｓｈｅの接合部Ｂｓｈにおいて、蓋部分Ｃの表面Ｃ１の第一の色（Ｒｄ）と本体部Ｂの裏面Ｂ２の半面Ｂ２１の第一の色（Ｒｄ）が同じになるように一枚の第一の色（Ｒｄ）のシートを張り合わせてなり、蓋部分Ｃの裏面Ｃ２の第二の色（Ｂｋ）と本体部Ｂの裏面Ｂ２の半面Ｂ２２の第二の色（Ｒｄ）が同じになるように一枚の第二の色（Ｂｋ）のシートを張り合わせてなることを特徴とする請求項１〜７の何れかに記載されたスライド式手帳型カバー１００。
【請求項９】
蓋ｃの端部ｃ１に留め具ｔｇを取付けてなり、留め具ｔｇには、Ｎ極磁石Ｎ及びＳ極磁石Ｓを内蔵してなり、蓋部分Ｃを閉じる場合に留め具ｔｇと対応する本体部分には、鉄板ｉｐを内蔵してなることを特徴とする請求項１〜８の何れかに記載されたスライド式手帳型カバー１００。
【請求項１０】
蓋部分Ｃの端部Ｃｅに留め具ｔｇを取付けてなり、留め具ｔｇには、Ｎ極磁石Ｎを内蔵してなり、蓋部分Ｃを閉じる場合に留め具ｔｇと対応する本体部分には、Ｓ極磁石Ｓを内蔵してなることを特徴とする請求項１〜９の何れかに記載されたスライド式手帳型カバー１００。
【請求項１１】
蓋部分Ｃの端部Ｃｅに留め具ｔｇを取付けてなり、留め具ｔｇには、Ｓ極磁石Ｓを内蔵してなり、蓋部分Ｃを閉じる場合に留め具ｔｇと対応する本体部分には、Ｎ極磁石Ｎを内蔵してなることを特徴とする請求項１〜１０の何れかに記載されたスライド式手帳型カバー１００。
【発明の詳細な説明】
【技術分野】
【０００１】
本発明は、スライド式手帳型携帯ケースに関する。
【背景技術】
【０００２】
従来、携帯端末装置のカメラ穴を手帳型携帯ケースに空けた携帯機種専用の手帳型携帯ケースの技術が存在していた。
【０００３】
発明者は、従来技術の欠点等を鋭意研究することによって本発明を完成させるに至った。
【先行技術文献】
【特許文献】
【０００４】
本願発明に係るスライド式手帳型携帯ケースについて、ＦＩ、キーワード検索を行ったところ、本件発明（請求項１〜１１に記載の発明）に近い発明等記載文献は、発見されなかったので、特許文献の記載は省略する。
【発明の概要】
【発明が解決しようとする課題】
【０００５】
○本発明が解決しようとする第１課題
本発明が解決しようとする第１課題は、
携帯端末装置のカメラ穴を手帳型カバーに開けた携帯機種専用の手帳型カバーでなくても、汎用タイプの手帳型カバーにスライド機構を搭載することによって携帯端末装置をスライドさせてカメラ撮影が可能なスライド式手帳型カバーの提供をすることである。
○本発明が解決しようとする第２課題
本発明が解決しようとする第２課題は、
携帯端末装置のカメラ穴を手帳型カバーに開ける必要がなくて、携帯端末装置をスライドさせてカメラ撮影が可能なスライド式手帳型カバーの提供をすることである。
○本発明が解決しようとする第３課題
本発明が解決しようとする第３課題は、
携帯端末を設置する方向を変更することによって、蓋の開き方向が同じであって、蓋を閉じた時の着色を変更することができるスライド式手帳型カバーの提供をすることである。
○本発明が解決しようとする第４課題
本発明が解決しようとする第４課題は、
通常は手帳型カバーは左開きが一般的だが左開き、右開きどちらでも対応可能で利き腕に合わせて使えるスライド式手帳型カバーを提供することである。
○本発明が解決しようとする第５課題
本発明が解決しようとする第５課題は、
携帯端末を使い終わって蓋部を閉じる場合、留め具がワンタッチで蓋部を閉じることが可能なスライド式手帳型カバーを提供することである。
○本発明が解決しようとする第６課題
本発明が解決しようとする第６課題は、
携帯端末を使い終わって蓋部を閉じる場合、携帯端末と接合したスライド板が下方のストッパーに近づくと板バネＫに蓄えられたエネルギーにより、上方のストッパーに向かってスライドし、蓋部を開いて携帯端末を使い始める場合、携帯端末と接合したスライド板が、上方のストッパーに近づくと板バネＫに蓄えられたエネルギーにより、上方のストッパーに向かってスライドすることを特徴とするスライド機構搭載のスライド式手帳型カバーを提供することである。
○本発明が解決しようとする第７課題
本発明が解決しようとする第７課題は、
携帯端末を使い終わって蓋部を閉じる場合、携帯端末と接合したスライド板が、板バネに蓄えられたエネルギーにより下方のストッパーまで押し付けられ、蓋部を開いて携帯端末を使い始める場合、携帯端末と接合したスライド板が、板バネに蓄えられたエネルギーにより上方のストッパーまで押し付けられるスライド機構搭載のスライド式手帳型カバーを提供することである。
○本発明が解決しようとする第８課題
本発明が解決しようとする第８課題は、
さらに、スライド板ＳＰが繰り返しスライドされても十分な耐久性を有するスライド機構搭載のスライド式手帳型カバーを提供することである。
【課題を解決するための手段】
【０００６】
課題を解決するための手段は、本願の［特許請求の範囲］の各請求項に記載の発明である。
特許請求の範囲、明細書、図面等の用語の解釈上の疑義を解消すべく、以下用語の説明を行うこととする。
＜用語の説明＞
○本体部分Ｂとは、スライド式手帳型携帯ケース１００の構成要素の一つであって、携帯端末装置Ｐｈを収納するものである。
○蓋部分Ｃは、スライド式手帳型携帯ケース１００の構成要素の一つであって、携帯端末装置Ｐｈを収納したり、携帯端末装置Ｐｈを見える状態にするためのものである。
蓋部分Ｃは、蓋ｃとヒンジ部ｈから構成される（リバーシブルでない場合）。
あるいは、蓋部分Ｃは、蓋ｃとヒンジ部ｈと接合補助部ｓｈから構成される（リバーシブルの場合）。
○蓋ｃとは、携帯端末装置Ｐｈを使用しない場合には、携帯端末装置Ｐｈを覆って塞ぎ、携帯端末装置Ｐｈを使用する場合は、開けて携帯端末装置Ｐｈが見えるようにするものをいう。
○ヒンジ部ｈとは、本体部分Ｂと蓋部分Ｃをヒンジ構造でフレクシブルに結合するものであり、手帳に例えれば、背表紙に相当するものである。
○本体部分Ｂの端部Ｂｅとは、本体部Ｂの上下方向の一辺をいう。
○蓋部分Ｃのヒンジ部ｈの端部ｈｅとは、ヒンジ部ｈの上下方向の一辺をいう。
○回転自在にピン結合とは、本体部分Ｂの端部Ｂｅと蓋部分Ｃのヒンジ部ｈの端部ｈｅとが結合して、ヒンジ部ｈが本体部Ｂの裏面Ｂ２に回転自在に動き得ることをいう。
○本体部分Ｂの表面Ｂ１とは、スライド機構ＳＭが搭載された側の本体部分Ｂの面をいう。
○スライド機構ＳＭは、スライド枠ＳＦ（左方のスライド枠ＳＦ、右方のスライド枠ＳＦがある。）、スライド板ＳＰ、ストッパーＳｔ（上方のストッパーＳｔ１、下方のストッパーＳｔ２がある。）、バネＫ等からなり、スライド板ＳＰがスライド枠ＳＦの間をスライドするようにさせるための機構である。
○スライド枠ＳＦとは、スライド機構ＳＭのスライド板ＳＰを上下方向のみ移動するように拘束するもので（表裏方向及び左右方向が拘束され、上下方向のスライドが許容されている。）、スライド枠ＳＦの凹部とスライド板凸部がある程度の隙間を有するよう嵌合してなる。
○スライド板ＳＰとは、スライド機構ＳＭの構成要素であり、スライド板ＳＰがスライド枠ＳＦの間をスライドさせて、スライド板ＳＰの表面ＳＰ１に接合した携帯端末装置Ｐｈを上下にスライドさせるものである。
○携帯端末装置Ｐｈとは、据え置き型端末装置に対するもので、携帯できる端末装置のことをいう。携帯端末装置Ｐｈには、携帯電話、スマートフォンも含まれ、さらに、電話機能のないスマートフォンも含まれる。
○スライド式手帳型携帯ケース１００とは、本体部分Ｂと蓋部分Ｃと、本体部分Ｂと蓋部分Ｃがヒンジ部ｈ、本体部分Ｂの開閉部ＢＯに磁石体Ｍ２を内包する長方形板係止材Ｋ２が取り付けてなり、蓋部分Ｃの開閉部ＣＯに磁石体Ｍ１を内包する長方形板係止材Ｋ１が取り付けてなるものである。
○カメラ穴ＣＨとは、携帯端末装置Ｐｈに内蔵されたカメラで撮影する場合に、光を取り入れるための穴である。カメラ穴ＣＨが塞がれると、携帯端末装置Ｐｈに内蔵されたカメラで撮影することができなくなる。
○スライド式手帳型携帯ケース１００の外側とは、スライド式手帳型携帯ケース１００の輪郭の外側（特に、上方のストッパーの輪郭の上側）をいう。
○スライド式手帳型携帯ケース１００の内側とは、スライド式手帳型携帯ケース１００の輪郭の内側（特に、上方のストッパーの輪郭の下側）をいう。
○接合補助部ｓｈとは、蓋ｃを閉じる場合に、本体部Ｂの裏面Ｂ２の裏側に位置する、リバーシブルの場合の蓋部分Ｃの構成要素である。
○本体部分Ｂの中央部Ｂｃとは、本体部分Ｂの裏面Ｂ２の中央部（左右を折半する中央垂直線）をいう。
○接合補助部ｓｈの端部ｓｈｅとは、接合補助部ｓｈのヒンジ部ｈ側と反対側の上下方向の辺をいう。
○蓋部分Ｃの表面Ｃ１とは、蓋部分Ｃを閉じた場合の表側になる面（リバーシブルしない場合の表側の面）をいう。
○第一の色（Ｒｄ）とは、蓋部分Ｃを閉じた場合の、蓋部分Ｃの色（リバーシブルしない場合の通常の色）をいう。
○蓋部分Ｃの裏面Ｃ２とは、蓋部分Ｃを閉じた場合に裏側になる面（リバーシブルしない場合の裏側の面であるが、リバーシブルする場合に表側になる面）をいう。
○第二の色（Ｂｋ）とは、蓋部分Ｃを閉じた場合の、蓋部分Ｃの色（リバーシブルする場合の色）をいう。
○本体部Ｂの裏面Ｂ２の半面Ｂ２１とは、本体部Ｂの裏面Ｂ２の半面のうち第一の色（Ｒｄ）を着色した半面をいう。
○本体部Ｂの裏面Ｂ２の半面Ｂ２２とは、本体部Ｂの裏面Ｂ２の半面のうち第二の色（Ｂｋ）を着色した半面をいう。
○本体部分Ｂの表面Ｂ１とは、本体部分の表側の面をいう。
○蓋ｃの端部ｃ１とは、蓋ｃのヒンジ部ｈ側の反対側の辺をいう。
○留め具ｔｇとは、本体部分Ｂと蓋Ｃをマグネットロックするための一方の部材であって、蓋ｃの端部ｃ１に取り付けてなる。
○鉄板ｉｐとは、留め具ｔｇには、Ｎ極磁石Ｎ及びＳ極磁石Ｓを内蔵してなる場合、蓋部分Ｃを閉じる場合に留め具ｔｇと対応する本体部分に内蔵してなる磁性体である。
留め具ｔｇに内蔵されたＮ極磁石Ｎ及びＳ極磁石Ｓと、蓋部分Ｃを閉じる場合に留め具ｔｇと対応する本体部分に内蔵してなる磁性体との間で磁気回路を形成して、留め具ｔｇと留め具ｔｇと対応する本体部分の間で吸引力が働き、留め具ｔｇと留め具ｔｇと対応する本体部分Ｂがロックされる。
○Ｎ極磁石Ｎとは、留め具ｔｇに内包されているＮ極の永久磁石である。
○Ｓ極磁石Ｓとは、留め具ｔｇに内包されているＳ極の永久磁石である。
●板バネＫとは、山型状の山型面ｋｍ（第１の山型面ｋｍ１と第２の山型面ｋｍ２）とから構成された板バネである。
板バネＫに外力が作用しない状態（板バネＫに作用する内部応力が０の状態）の、板バネＫの高さをｋｈ０とし、板バネＫに力Ｆが作用した場合の、板バネＫの高さをｋｈ  とすれば、以下の式（１１）が成立する。
Ｆ＝Ｃｋ×（ｋｈ０−ｋｈ）……（１１）式
ここに、Ｃｋ：板バネＫのバネ定数（Ｋｇ重／ｃｍ）
ｈ：山型面ｋｍの頂点ｔｐの高さ（ｃｍ）
ｈ０：板バネＫに外力が作用しない場合の山型面ｋｍの頂点ｔｐの高さ（ｃｍ）
である。
また、その時に、板バネＫに蓄えられるエネルギーＥについては、以下の式（１２）が成立する
Ｅ＝Ｃｋ×（ｋｈ０−ｋｈ）×（ｋｈ０−ｋｈ）／２……（１２）式
●山型面ｋｍとは、山に似た形をした面をいい、具体的には、中央が高く両側に低くなった形の面をいう。
●第１の山型面ｋｍ１とは、上方側の山型面ｋｍをいう。
●第２の山型面ｋｍ２とは、下方側の山型面ｋｍをいう。
●頂点ｔｐとは、山形面ｋｍの頂点をいい、山型面ｋｍの中央の一番高くなっている点をいう。
●板バネＫの下辺部Ｋ１とは、スライド板ＳＰの裏面Ｐ１と結合される板バネＫの下端辺とその付近の領域部を表す。
板ＳＰの裏面Ｐ１とは、板バネＫの下辺部Ｋ１を固定する部分であって、スライド板ＳＰの裏面の部分をいう。
●台形状台座ＳＴとは、第１の斜面ｓｌ１と第２の斜面ｓｌ２と平面ｐｌからなる断面が台形状をした台座である。
スライド板ＳＰが台形状台座ＳＴの上をスライドする場合は、板バネＫの山型部ｋｍの高さｋｈがｋｈ０より縮んで、板バネＫには、（１２）式が蓄積されることになる。
したがって、スライド板ＳＰがスライド機構ＳＭに格納された状態から、あるいは、スライド板ＳＰが上方にスライドされた状態から、スライド板ＳＰがスライド方向にスライドする状態へ移行するには、（１２）式で表されるエネルギーＥ分の仕事をしなければならず、簡単にはスライド板ＳＰの慣性力や重力によっては移行できない、かつ、繰り返しスライドしても耐久性のあるスライド機構搭載のスライド式手帳型カバーを提供するという本発明課題が達成されることになる。
●第１の斜面ｓｌ１とは、上方側の台形状台座ＳＴの斜面をいう。
スライド板ＳＰが上方にスライドされた状態から、スライド板ＳＰがスライド方向にスライドする状態へ移行するためには、（１２）式で表されたエネルギーの仕事をすることが必要になる。
よって、本願発明に係る、スライド機構ＳＭにおいて、スライド板ＳＰが上方にスライドされた状態から、スライド板ＳＰがスライド方向にスライドする状態へは、簡単にはスライド板ＳＰの慣性力や重力によっては移行できない。
●第２の斜面ｓｌ２とは、下方側の台形状台座ＳＴの斜面をいう。
スライド板ＳＰがスライド機構ＳＭに格納された状態から、スライド板ＳＰがスライド方向にスライドする状態へ移行するためには、（１２）式で表されたエネルギーの仕事をすることが必要になる。
よって、本願発明に係る、スライド機構ＳＭにおいて、スライド板ＳＰがスライド機構ＳＭに格納された状態から、スライド板ＳＰがスライド方向にスライドする状態へは、簡単にはスライド板ＳＰの慣性力や重力によっては移行できない。
●平面ｐｌとは、台形状台座ＳＴの平坦な平面部分をいう。
スライド板ＳＰがスライド方向にスライドする状態では、板バネＫの山型部の頂点ｔｐが平面ｐｌと接触し、板バネＫは、（１２）式で表されるエネルギーＥを蓄えており、スライド中は、蓄えられたエネルギーＥは変化することなくスライドもスムーズに行われる。
ただし、板バネＫの山型部ｋｍが斜面ｓｌ１又は斜面ｓｌ２を降る場合は、蓄えられたエネルギーＥを放出することにより（蓄えられたエネルギーにより）、スライド板ＳＰは自力でスライドする。
これは、自動車がガソリンのエネルギーを使って上り坂を昇り、水平面上を走行した後、下り坂を重力の位置エネルギーを減じながら（ガソリンのエネルギーは使わないで）降り下りる場合に類似している。
すなわち、板バネＫの山型部ｋｍが斜面ｓｌ１又は斜面ｓｌ２を人の手でエネルギーを与えることによって平面ｐｌまで昇り、平面ｐｌをスムーズにスライドし、板バネＫの山型部ｋｍが斜面ｓｌ１又は斜面ｓｌ２を下り下りる場合には、板バネＫに蓄えられたエネルギーを減じながら（人の手のエネルギーは使わないで）降り下りる。
○上方向とは、紙面視上方向をいい、下方向とは、紙面視下方向をいい、左方向とは、紙面視左方向をいい、右方向とは、紙面視右方向をいう（図３の（Ａ）図、図５、図６）。
○表面（「おもてめん」と読む。）とは、紙面視、手前方向の面をいい、裏面（「うらめん」と読む。）とは紙面視、紙背方向の向をいう（図３の（Ａ）図、図５、図６、図７、図８）。
○第１の発明（請求項１に記載の発明）
上記の課題を解決するための第１の発明（請求項１に記載の発明）は、
本体部分Ｂと蓋部分Ｃからなるスライド式手帳型カバーにおいて、蓋部分Ｃが、蓋ｃとヒンジ部ｈからなり、本体部分Ｂの端部Ｂｅと蓋部分Ｃのヒンジ部ｈの端部ｈｅが回転自在にピン結合されてなり、本体部分Ｂの表面Ｂ１にスライド機構ＳＭが搭載されてなり、スライド機構ＳＭは、スライド枠ＳＦとスライド板ＳＰからなり、スライド板ＳＰがスライド枠ＳＦの間をスライドし、スライド板ＳＰの表面ＳＰ１に携帯端末装置Ｐｈを接合してなるスライド式手帳型カバー１００において、
山型状の板バネＫが、第１の山型面ｋｍ１と第２の山型面ｋｍ２からなる山型状の山型面ｋｍから構成され、
山型状の板バネＫの下辺Ｋ１がスライド板ＳＰの裏面Ｐ１と結合され、第１の斜面ｓｌ１と第２の斜面ｓｌ２と平面ｐｌからなる台形状台座ＳＴがスライド機構ＳＭの底部Ｐ２と固着されてなり、
スライド板ＳＰがスライド機構ＳＭに格納された状態から上方にスライドする場合、
先ず、第１の山型面のｋｍ１が、台形状台座ＳＴの第２の斜面ｓｌ２と接触しながら台形状台座ＳＴの平面ｐｌに昇り、
次いで、板バネＫの山型面ｋｍの頂点ｔｐが、台形状台座ＳＴの平面ｐｌに接触したまま、スライド板ＳＰはスライド方向にスライドし、
そして、第２の山型面ｋｍ２が第１の斜面ｓｌ１と接触しながら台形状台座ＳＴの平面ｐｌから降り
板バネＫの山型面ｋｍの頂点ｔｐが台形状台座ＳＴの斜面ｓｌ１にあって、上方のストッパーＳｔ１までスライド板ＳＰが押し付けられることを特徴とするスライド式手帳型カバー１００である。
○第２の発明（請求項２に記載の発明）
上記の課題を解決するための第２の発明（請求項２に記載の発明）は、
スライド板ＳＰが上方にスライドされた状態からスライド機構ＳＭに格納された状態までスライドする場合、
先ず、第２の山型面ｋｍ２が、第１の斜面ｓｌ１と接触しながら台形状台座ＳＴの平面ｐｌに昇り、
次いで、板バネＫの山型面ｋｍの頂点ｔｐが、台形状台座ＳＴの平面ｐｌに接触したまま、スライド板ＳＰはスライド方向にスライドし、
そして、第１の山型面のｋｍ１が第２の斜面ｓｌ２と接触しながら台形状台座ＳＴの平面ｐｌから降り、
板バネＫの山型面ｋｍの頂点ｔｐが台形状台座ＳＴの斜面ｓｌ２にあって、下方のストッパーＳｔ２までスライド板ＳＰが押し付けられることを特徴とする請求項１に記載されたスライド式手帳型カバー１００である。
○第３の発明（請求項３に記載の発明）
上記の課題を解決するための第３の発明（請求項３に記載の発明）は、
スライド板ＳＰがスライド機構ＳＭに格納された状態から、あるいは、スライド板ＳＰが上方にスライドされた状態から、板バネＫの山型面ｋｍの頂点ｔｐが、台形状台座ＳＴの平面ｐｌに接触したまま、スライド板ＳＰはスライド方向にスライドする状態において、板バネＫに蓄えられるエネルギーＥが、（１）式で表されると共に、
板バネＫの山型面ｋｍの頂点ｔｐが台形状台座ＳＴの斜面ｓｌ１又は斜面ｓｌ２を降りる状態において、板バネＫに蓄えられたエネルギーＥを減じながら、スライド板ＳＰがスライド方向にスライドすることを特徴とする請求項１〜２の何れかに記載されたスライド式手帳型カバー１００。
Ｅ＝Ｃｋ×（ｈ−ｈ０）×（ｈ−ｈ０）／２……（１）
ここに、Ｃｋ：板バネＫのバネ定数（Ｋｇ重／ｃｍ）
ｈ：山型面ｋｍの頂点ｔｐの高さ（ｃｍ）
ｈ０：板バネＫに外力が作用しない場合の山型面ｋｍの頂点ｔｐの高さ（ｃｍ）
である。
○第４の発明（請求項４に記載の発明）
上記の課題を解決するための第４の発明（請求項４に記載の発明）は、
板バネＫの山型面ｋｍの頂点ｔｐが台形状台座ＳＴの斜面ｓｌ１にあって、上方のストッパーＳｔ１までスライド板ＳＰを押し付けるか、あるいは、板バネＫの山型面ｋｍの頂点ｔｐが台形状台座ＳＴの斜面ｓｌ２にあって、下方のストッパーＳｔ２までスライド板ＳＰを押し付けることを特徴とする請求項１〜３の何れかに記載されたスライド式手帳型カバー１００である。
○第５の発明（請求項５に記載の発明）
上記の課題を解決するための第５の発明（請求項５に記載の発明）は、
携帯端末装置Ｐｈに内蔵のカメラを使用する場合、スライド板ＳＰをスライドさせて、携帯端末装置Ｐｈのカメラ穴ＣＨがスライド式手帳型カバー１００の外側に張り出すようにし、携帯端末装置Ｐｈに内蔵のカメラを使用しない場合、スライド板ＰＨをスライドさせて、携帯端末装置Ｐｈのカメラ穴ＣＨがスライド式手帳型カバー１００の内側に収まるようにすることを特徴とする請求項１〜４の何れかに記載されたスライド式手帳型カバー１００である。
○第６の発明（請求項６に記載の発明）
上記の課題を解決するための第６の発明（請求項６に記載の発明）は、
蓋部分Ｃが、蓋ｃとヒンジ部ｈと接合補助部ｓｈからなり、本体部分Ｂの中央部Ｂｃと接合補助部ｓｈの端部ｓｈ１が回転自在にピン結合されてなると共に、蓋部分Ｃの表面Ｃ１に第一の色（Ｒｄ）を着色し、蓋部分Ｃの裏面Ｃ２に第二の色（Ｂｋ）を着色してなり、本体部Ｂの裏面Ｂ２の半面Ｂ２１に第一の色（Ｒｄ）を着色し、本体部Ｂの裏面Ｂ２の半面Ｂ２２に第二の色（Ｂｋ）を着色してなり、本体部分Ｂの中央部Ｂｃと接合補助部ｓｈの端部ｓｈｅの接合部Ｂｓｈにおいて、蓋部分Ｃの表面Ｃ１の第一の色（Ｒｄ）と本体部Ｂの裏面Ｂ２の半面Ｂ２１の第一の色（Ｒｄ）とが同じになるように連続してなり、蓋部分Ｃの裏面Ｃ２の第二の色（Ｂｋ）と本体部Ｂの裏面Ｂ２の半面Ｂ２２の第二の色（Ｒｄ）が同じになるように連続してなることを特徴とする請求項１〜５の何れかに記載されたスライド式手帳型カバー１００である。
○第７の発明（請求項７に記載の発明）
上記の課題を解決するための第７の発明（請求項７に記載の発明）は、
本体部分Ｂの表面Ｂ１の全面に第一の色（Ｒｄ）／又は第二の色（Ｂｋ）／又は第三の色（Ｂｅ）を着色してなることを特徴とする請求項１〜６の何れかに記載されたスライド式手帳型カバー１００である。
○第８の発明（請求項８に記載の発明）
上記の課題を解決するための第８の発明（請求項８に記載の発明）は、
本体部分Ｂの中央部Ｂｃと接合補助部ｓｈの端部ｓｈｅの接合部Ｂｓｈにおいて、蓋部分Ｃの表面Ｃ１の第一の色（Ｒｄ）と本体部Ｂの裏面Ｂ２の半面Ｂ２１の第一の色（Ｒｄ）が同じになるように一枚の第一の色（Ｒｄ）のシートを張り合わせてなり、蓋部分Ｃの裏面Ｃ２の第二の色（Ｂｋ）と本体部Ｂの裏面Ｂ２の半面Ｂ２２の第二の色（Ｒｄ）が同じになるように一枚の第二の色（Ｂｋ）のシートを張り合わせてなることを特徴とする請求項１〜７の何れかに記載されたスライド式手帳型カバー１００である。
○第９の発明（請求項９に記載の発明）
上記の課題を解決するための第９の発明（請求項９に記載の発明）は、
蓋ｃの端部ｃ１に留め具ｔｇを取付けてなり、留め具ｔｇには、Ｎ極磁石Ｎ及びＳ極磁石Ｓを内蔵してなり、蓋部分Ｃを閉じる場合に留め具ｔｇと対応する本体部分には、鉄板ｉｐを内蔵してなることを特徴とする請求項１〜８の何れかに記載されたスライド式手帳型カバー１００である。
○第１０の発明（請求項１０に記載の発明）
上記の課題を解決するための第９の発明（請求項１０に記載の発明）は、
蓋部分Ｃの端部Ｃｅに留め具ｔｇを取付けてなり、留め具ｔｇには、Ｎ極磁石Ｎを内蔵してなり、蓋部分Ｃを閉じる場合に留め具ｔｇと対応する本体部分には、Ｓ極磁石Ｓを内蔵してなることを特徴とする請求項１〜９の何れかに記載されたスライド式手帳型カバー１００である。
○第１１の発明（請求項１１に記載の発明）
上記の課題を解決するための第９の発明（請求項１１に記載の発明）は、
蓋部分Ｃの端部Ｃｅに留め具ｔｇを取付けてなり、留め具ｔｇには、Ｓ極磁石Ｓを内蔵してなり、蓋部分Ｃを閉じる場合に留め具ｔｇと対応する本体部分には、Ｎ極磁石Ｎを内蔵してなることを特徴とする請求項１〜１０の何れかに記載されたスライド式手帳型カバー１００である。
【発明の効果】
【０００７】
本発明に係る、スライド式手帳型携帯ケースは、上記のような特徴的構成要件から構成され、特徴的構成要件に応じた、以下のような本願発明特有の効果を奏する。
また、上記の各発明に応じた、上記のような特徴的構成要件から構成されたスライド式手帳型携帯ケースによれば、本願発明の課題を十分解消することができた。
○第１の発明の効果
第１の発明によれば、
本体部分Ｂと蓋部分Ｃからなるスライド式手帳型カバーにおいて、蓋部分Ｃが、蓋ｃとヒンジ部ｈからなり、本体部分Ｂの端部Ｂｅと蓋部分Ｃのヒンジ部ｈの端部ｈｅが回転自在にピン結合されてなり、本体部分Ｂの表面Ｂ１にスライド機構ＳＭが搭載されてなり、スライド機構ＳＭは、スライド枠ＳＦとスライド板ＳＰからなり、スライド板ＳＰがスライド枠ＳＦの間をスライドし、スライド板ＳＰの表面ＳＰ１に携帯端末装置Ｐｈを接合してなるスライド式手帳型カバー１００において、
山型状の板バネＫが、第１の山型面ｋｍ１と第２の山型面ｋｍ２からなる山型状の山型面ｋｍから構成され、
山型状の板バネＫの下辺Ｋ１がスライド板ＳＰの裏面Ｐ１と結合され、第１の斜面ｓｌ１と第２の斜面ｓｌ２と平面ｐｌからなる台形状台座ＳＴがスライド機構ＳＭの底部Ｐ２と固着されてなり、
スライド板ＳＰがスライド機構ＳＭに格納された状態から上方にスライドする場合、
先ず、第１の山型面のｋｍ１が、台形状台座ＳＴの第２の斜面ｓｌ２と接触しながら台形状台座ＳＴの平面ｐｌに昇り、
次いで、板バネＫの山型面ｋｍの頂点ｔｐが、台形状台座ＳＴの平面ｐｌに接触したまま、スライド板ＳＰはスライド方向にスライドし、
そして、第２の山型面ｋｍ２が第１の斜面ｓｌ１と接触しながら台形状台座ＳＴの平面ｐｌから降り
板バネＫの山型面ｋｍの頂点ｔｐが台形状台座ＳＴの斜面ｓｌ１にあって、上方のストッパーＳｔ１までスライド板ＳＰが押し付けられることという特徴的な構成要件により、本発明が解決しようとする第１課題〜第８課題を達成することができ、当業者予測不可能な顕著な効果を奏することができた。
○第２の発明の効果
第２の発明によれば、
スライド板ＳＰが上方にスライドされた状態からスライド機構ＳＭに格納された状態までスライドする場合、
先ず、第２の山型面ｋｍ２が、第１の斜面ｓｌ１と接触しながら台形状台座ＳＴの平面ｐｌに昇り、
次いで、板バネＫの山型面ｋｍの頂点ｔｐが、台形状台座ＳＴの平面ｐｌに接触したまま、スライド板ＳＰはスライド方向にスライドし、
そして、第１の山型面のｋｍ１が第２の斜面ｓｌ２と接触しながら台形状台座ＳＴの平面ｐｌから降り、
板バネＫの山型面ｋｍの頂点ｔｐが台形状台座ＳＴの斜面ｓｌ２にあって、下方のストッパーＳｔ２までスライド板ＳＰが押し付けられることという特徴的な構成要件により、本発明が解決しようとする第１課題〜第８課題を達成することができ、当業者予測不可能な顕著な効果を奏することができた。
○第３の発明の効果
第３の発明によれば、
スライド板ＳＰがスライド機構ＳＭに格納された状態から、あるいは、スライド板ＳＰが上方にスライドされた状態から、板バネＫの山型面ｋｍの頂点ｔｐが、台形状台座ＳＴの平面ｐｌに接触したまま、スライド板ＳＰはスライド方向にスライドする状態において、板バネＫに蓄えられるエネルギーＥが、（１）式で表されると共に、
板バネＫの山型面ｋｍの頂点ｔｐが台形状台座ＳＴの斜面ｓｌ１又は斜面ｓｌ２を降りる状態において、板バネＫに蓄えられたエネルギーＥを減じながら、スライド板ＳＰがスライド方向にスライドすることを特徴とするスライド式手帳型カバー１００。
Ｅ＝Ｃｋ×（ｈ−ｈ０）×（ｈ−ｈ０）／２……（１）
ここに、Ｃｋ：板バネＫのバネ定数（Ｋｇ重／ｃｍ）
ｈ：山型面ｋｍの頂点ｔｐの高さ（ｃｍ）
ｈ０：板バネＫに外力が作用しない場合の山型面ｋｍの頂点ｔｐの高さ（ｃｍ）
という特徴的な構成要件により、本発明が解決しようとする第１課題〜第８課題を達成することができ、当業者予測不可能な顕著な効果を奏することができた。
○第４の発明の効果
第４の発明によれば、
板バネＫの山型面ｋｍの頂点ｔｐが台形状台座ＳＴの斜面ｓｌ１にあって、上方のストッパーＳｔ１までスライド板ＳＰを押し付けるか、あるいは、板バネＫの山型面ｋｍの頂点ｔｐが台形状台座ＳＴの斜面ｓｌ２にあって、下方のストッパーＳｔ２までスライド板ＳＰを押し付けることという特徴的な構成要件により、本発明が解決しようとする第１課題〜第８課題を達成することができ、当業者予測不可能な顕著な効果を奏することができた。
○第５の発明の効果
第５の発明によれば、
携帯端末装置Ｐｈに内蔵のカメラを使用する場合、スライド板ＳＰをスライドさせて、携帯端末装置Ｐｈのカメラ穴ＣＨがスライド式手帳型カバー１００の外側に張り出すようにし、携帯端末装置Ｐｈに内蔵のカメラを使用しない場合、スライド板ＰＨをスライドさせて、携帯端末装置Ｐｈのカメラ穴ＣＨがスライド式手帳型カバー１００の内側に収まるようにすることという特徴的な構成要件により、本発明が解決しようとする第１課題〜第８課題を達成することができ、当業者予測不可能な顕著な効果を奏することができた。
○第６の発明の効果
第６の発明によれば、
蓋部分Ｃが、蓋ｃとヒンジ部ｈと接合補助部ｓｈからなり、本体部分Ｂの中央部Ｂｃと接合補助部ｓｈの端部ｓｈ１が回転自在にピン結合されてなると共に、蓋部分Ｃの表面Ｃ１に第一の色（Ｒｄ）を着色し、蓋部分Ｃの裏面Ｃ２に第二の色（Ｂｋ）を着色してなり、本体部Ｂの裏面Ｂ２の半面Ｂ２１に第一の色（Ｒｄ）を着色し、本体部Ｂの裏面Ｂ２の半面Ｂ２２に第二の色（Ｂｋ）を着色してなり、本体部分Ｂの中央部Ｂｃと接合補助部ｓｈの端部ｓｈｅの接合部Ｂｓｈにおいて、蓋部分Ｃの表面Ｃ１の第一の色（Ｒｄ）と本体部Ｂの裏面Ｂ２の半面Ｂ２１の第一の色（Ｒｄ）とが同じになるように連続してなり、蓋部分Ｃの裏面Ｃ２の第二の色（Ｂｋ）と本体部Ｂの裏面Ｂ２の半面Ｂ２２の第二の色（Ｒｄ）が同じになるように連続してなることという特徴的な構成要件により、本発明が解決しようとする第１課題〜第８課題を達成することができ、当業者予測不可能な顕著な効果を奏することができた。
○第７の発明の効果
第７の発明によれば、
本体部分Ｂの表面Ｂ１の全面に第一の色（Ｒｄ）／又は第二の色（Ｂｋ）／又は第三の色（Ｂｅ）を着色してなることという特徴的な構成要件により、本発明が解決しようとする第１課題〜第８課題を達成することができ、当業者予測不可能な顕著な効果を奏することができた。
○第８の発明の効果
第８の発明によれば、
本体部分Ｂの中央部Ｂｃと接合補助部ｓｈの端部ｓｈｅの接合部Ｂｓｈにおいて、蓋部分Ｃの表面Ｃ１の第一の色（Ｒｄ）と本体部Ｂの裏面Ｂ２の半面Ｂ２１の第一の色（Ｒｄ）が同じになるように一枚の第一の色（Ｒｄ）のシートを張り合わせてなり、蓋部分Ｃの裏面Ｃ２の第二の色（Ｂｋ）と本体部Ｂの裏面Ｂ２の半面Ｂ２２の第二の色（Ｒｄ）が同じになるように一枚の第二の色（Ｂｋ）のシートを張り合わせてなることという特徴的な構成要件により、本発明が解決しようとする第１課題〜第８課題を達成することができ、当業者予測不可能な顕著な効果を奏することができた。
○第９の発明の効果
第９の発明によれば、
蓋ｃの端部ｃ１に留め具ｔｇを取付けてなり、留め具ｔｇには、Ｎ極磁石Ｎ及びＳ極磁石Ｓを内蔵してなり、蓋部分Ｃを閉じる場合に留め具ｔｇと対応する本体部分には、鉄板ｉｐを内蔵してなることという特徴的な構成要件により、本発明が解決しようとする第１課題〜第８課題を達成することができ、当業者予測不可能な顕著な効果を奏することができた。
○第１０の発明の効果
第１０の発明によれば、
蓋部分Ｃの端部Ｃｅに留め具ｔｇを取付けてなり、留め具ｔｇには、Ｎ極磁石Ｎを内蔵してなり、蓋部分Ｃを閉じる場合に留め具ｔｇと対応する本体部分には、Ｓ極磁石Ｓを内蔵してなることという特徴的な構成要件により、本発明が解決しようとする第１課題〜第８課題を達成することができ、当業者予測不可能な顕著な効果を奏することができた。
○第１１の発明の効果
第１１の発明によれば、
蓋部分Ｃの端部Ｃｅに留め具ｔｇを取付けてなり、留め具ｔｇには、Ｓ極磁石Ｓを内蔵してなり、蓋部分Ｃを閉じる場合に留め具ｔｇと対応する本体部分には、Ｎ極磁石Ｎを内蔵してなることという特徴的な構成要件により、本発明が解決しようとする第１課題〜第８課題を達成することができ、当業者予測不可能な顕著な効果を奏することができた。
【発明を実施するための最良の形態】
【０００８】
以下、本発明に係る、スライド式手帳型携帯ケースに関する最良の実施形態について、図面を参照しながら説明する。
図１は、請求項１〜１１に記載された本発明の斜視図である。
図２は、リバーシブルタイプの本発明の斜視図である。
図３は、本発明に係るスライド機構の正面図（（Ａ）図）、左側面図（（Ｂ）図）、底面図（（Ｃ）図）を表す。
図４は、板バネに蓄えられるエネルギーを説明する図である。
（Ａ）図は、板バネに外力が作用しない場合を説明し、（Ｂ）図は、板バネに外力が作用した場合を説明する図である。
図５は、リバーシブルタイプの本発明の使用状態が通常の場合の使用状態を表す斜視図である。
図６は、リバーシブルタイプの本発明の使用状態がリバーシブルの場合の使用状態を表す斜視図である。
図７は、本発明に係る本体不文の正面図（（Ａ）図）、背面図（（Ｂ）図）を表す。
図８は、本発明に係る蓋部分の正面図（（Ａ）図）、背面図（（Ｂ）図）を表す。
図９は、図３のＡ−Ａ断面矢視図を表す。
図１０は、図３のＢ−Ｂ断面矢視図を表す。
図１１は、スライド板が下側にある場合の図３のＢ−Ｂ断面矢視図を表す。板バネＫの山型部ｋｍが斜面ｓｌ２にある場合は、下方向きにバネ力を受ける。
図１２は、スライド板が中央側にある場合の図３のＢ−Ｂ断面矢視図を表す。
図１３は、スライド板が上側にある場合の図３のＢ−Ｂ断面矢視図を表す。スライド板が上側にある場合の図３のＢ−Ｂ断面矢視図を表す。板バネＫの山型部ｋｍが斜面ｓｌ１にある場合は、上方向きにバネ力を受ける。
以下、本発明に係る、スライド式手帳型携帯ケースについて、図面を参照しながら説明する。
１１１１１＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
上記のスライド式手帳型カバー１００において、
本体部分Ｂと蓋部分Ｃからなるスライド式手帳型カバーにおいて、蓋部分Ｃが、蓋ｃとヒンジ部ｈからなり、本体部分Ｂの端部Ｂｅと蓋部分Ｃのヒンジ部ｈの端部ｈｅが回転自在にピン結合されてなり、本体部分Ｂの表面Ｂ１にスライド機構ＳＭが搭載されてなり、スライド機構ＳＭは、スライド枠ＳＦとスライド板ＳＰからなり、スライド板ＳＰがスライド枠ＳＦの間をスライドし、スライド板ＳＰの表面ＳＰ１に携帯端末装置Ｐｈを接合してなるスライド式手帳型カバー１００において、
山型状の板バネＫが、第１の山型面ｋｍ１と第２の山型面ｋｍ２からなる山型状の山型面ｋｍから構成され、
山型状の板バネＫの下辺Ｋ１がスライド板ＳＰの裏面Ｐ１と結合され、第１の斜面ｓｌ１と第２の斜面ｓｌ２と平面ｐｌからなる台形状台座ＳＴがスライド機構ＳＭの底部Ｐ２と固着されてなり、
スライド板ＳＰがスライド機構ＳＭに格納された状態から上方にスライドする場合、
先ず、第１の山型面のｋｍ１が、台形状台座ＳＴの第２の斜面ｓｌ２と接触しながら台形状台座ＳＴの平面ｐｌに昇り、
次いで、板バネＫの山型面ｋｍの頂点ｔｐが、台形状台座ＳＴの平面ｐｌに接触したまま、スライド板ＳＰはスライド方向にスライドし、
そして、第２の山型面ｋｍ２が第１の斜面ｓｌ１と接触しながら台形状台座ＳＴの平面ｐｌから降り
板バネＫの山型面ｋｍの頂点ｔｐが台形状台座ＳＴの斜面ｓｌ１にあって、上方のストッパーＳｔ１までスライド板ＳＰが押し付けられることを特徴とするスライド式手帳型カバー１００が開示されている。
○第１の発明の効果
第１の発明によれば、
本体部分Ｂと蓋部分Ｃからなるスライド式手帳型カバーにおいて、蓋部分Ｃが、蓋ｃとヒンジ部ｈからなり、本体部分Ｂの端部Ｂｅと蓋部分Ｃのヒンジ部ｈの端部ｈｅが回転自在にピン結合されてなり、本体部分Ｂの表面Ｂ１にスライド機構ＳＭが搭載されてなり、スライド機構ＳＭは、スライド枠ＳＦとスライド板ＳＰからなり、スライド板ＳＰがスライド枠ＳＦの間をスライドし、スライド板ＳＰの表面ＳＰ１に携帯端末装置Ｐｈを接合してなるスライド式手帳型カバー１００において、
山型状の板バネＫが、第１の山型面ｋｍ１と第２の山型面ｋｍ２からなる山型状の山型面ｋｍから構成され、
山型状の板バネＫの下辺Ｋ１がスライド板ＳＰの裏面Ｐ１と結合され、第１の斜面ｓｌ１と第２の斜面ｓｌ２と平面ｐｌからなる台形状台座ＳＴがスライド機構ＳＭの底部Ｐ２と固着されてなり、
スライド板ＳＰがスライド機構ＳＭに格納された状態から上方にスライドする場合、
先ず、第１の山型面のｋｍ１が、台形状台座ＳＴの第２の斜面ｓｌ２と接触しながら台形状台座ＳＴの平面ｐｌに昇り、
次いで、板バネＫの山型面ｋｍの頂点ｔｐが、台形状台座ＳＴの平面ｐｌに接触したまま、スライド板ＳＰはスライド方向にスライドし、
そして、第２の山型面ｋｍ２が第１の斜面ｓｌ１と接触しながら台形状台座ＳＴの平面ｐｌから降り
板バネＫの山型面ｋｍの頂点ｔｐが台形状台座ＳＴの斜面ｓｌ１にあって、上方のストッパーＳｔ１までスライド板ＳＰが押し付けられることという特徴的な構成要件により、本発明が解決しようとする第１課題〜第８課題を達成することができ、当業者予測不可能な顕著な効果を奏することができた。
２２２２２＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
上記のスライド式手帳型カバー１００において、
スライド板ＳＰが上方にスライドされた状態からスライド機構ＳＭに格納された状態までスライドする場合、
先ず、第２の山型面ｋｍ２が、第１の斜面ｓｌ１と接触しながら台形状台座ＳＴの平面ｐｌに昇り、
次いで、板バネＫの山型面ｋｍの頂点ｔｐが、台形状台座ＳＴの平面ｐｌに接触したまま、スライド板ＳＰはスライド方向にスライドし、
そして、第１の山型面のｋｍ１が第２の斜面ｓｌ２と接触しながら台形状台座ＳＴの平面ｐｌから降り、
板バネＫの山型面ｋｍの頂点ｔｐが台形状台座ＳＴの斜面ｓｌ２にあって、下方のストッパーＳｔ２までスライド板ＳＰが押し付けられることを特徴とする請求項１に記載されたスライド式手帳型カバー１００が開示されている。
○第２の発明の効果
第２の発明によれば、
スライド板ＳＰが上方にスライドされた状態からスライド機構ＳＭに格納された状態までスライドする場合、
先ず、第２の山型面ｋｍ２が、第１の斜面ｓｌ１と接触しながら台形状台座ＳＴの平面ｐｌに昇り、
次いで、板バネＫの山型面ｋｍの頂点ｔｐが、台形状台座ＳＴの平面ｐｌに接触したまま、スライド板ＳＰはスライド方向にスライドし、
そして、第１の山型面のｋｍ１が第２の斜面ｓｌ２と接触しながら台形状台座ＳＴの平面ｐｌから降り、
板バネＫの山型面ｋｍの頂点ｔｐが台形状台座ＳＴの斜面ｓｌ２にあって、下方のストッパーＳｔ２までスライド板ＳＰが押し付けられることという特徴的な構成要件により、本発明が解決しようとする第１課題〜第８課題を達成することができ、当業者予測不可能な顕著な効果を奏することができた。
３３３３３＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
上記のスライド式手帳型カバー１００において、
スライド板ＳＰがスライド機構ＳＭに格納された状態から、あるいは、スライド板ＳＰが上方にスライドされた状態から、板バネＫの山型面ｋｍの頂点ｔｐが、台形状台座ＳＴの平面ｐｌに接触したまま、スライド板ＳＰはスライド方向にスライドする状態において、板バネＫに蓄えられるエネルギーＥが、（１）式で表されると共に、
板バネＫの山型面ｋｍの頂点ｔｐが台形状台座ＳＴの斜面ｓｌ１又は斜面ｓｌ２を降りる状態において、板バネＫに蓄えられたエネルギーＥを減じながら、スライド板ＳＰがスライド方向にスライドすることを特徴とする請求項１〜２の何れかに記載されたスライド式手帳型カバー１００が開示されている。
Ｅ＝Ｃｋ×ｈ×ｈ／２……（１）
ここに、Ｃｋ：板バネＫのバネ定数（Ｋｇ重／ｃｍ）
ｈ：山型面ｋｍの頂点ｔｐの高さ（ｃｍ）
ｈ０：板バネＫに外力が作用しない場合の山型面ｋｍの頂点ｔｐの高さ（ｃｍ）
○第３の発明の効果
第３の発明によれば、
スライド板ＳＰがスライド機構ＳＭに格納された状態から、あるいは、スライド板ＳＰが上方にスライドされた状態から、板バネＫの山型面ｋｍの頂点ｔｐが、台形状台座ＳＴの平面ｐｌに接触したまま、スライド板ＳＰはスライド方向にスライドする状態において、板バネＫに蓄えられるエネルギーＥが、（１）式で表されると共に、
板バネＫの山型面ｋｍの頂点ｔｐが台形状台座ＳＴの斜面ｓｌ１又は斜面ｓｌ２を降りる状態において、板バネＫに蓄えられたエネルギーＥを減じながら、スライド板ＳＰがスライド方向にスライドすることを特徴とする請求項１〜２の何れかに記載されたスライド式手帳型カバー１００。
Ｅ＝Ｃｋ×（ｈ−ｈ０）×（ｈ−ｈ０）／２……（１）
ここに、Ｃｋ：板バネＫのバネ定数（Ｋｇ重／ｃｍ）
ｈ：山型面ｋｍの頂点ｔｐの高さ（ｃｍ）
ｈ０：板バネＫに外力が作用しない場合の山型面ｋｍの頂点ｔｐの高さ（ｃｍ）
ことという特徴的な構成要件により、本発明が解決しようとする第１課題〜第８課題を達成することができ、当業者予測不可能な顕著な効果を奏することができた。
４４４４４＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
上記のスライド式手帳型カバー１００において、
板バネＫの山型面ｋｍの頂点ｔｐが台形状台座ＳＴの斜面ｓｌ１にあって、上方のストッパーＳｔ１までスライド板ＳＰを押し付けるか、あるいは、板バネＫの山型面ｋｍの頂点ｔｐが台形状台座ＳＴの斜面ｓｌ２にあって、下方のストッパーＳｔ２までスライド板ＳＰを押し付けることを特徴とする請求項１〜３の何れかに記載されたスライド式手帳型カバー１００が開示されている。
○第４の発明の効果
第４の発明によれば、
板バネＫの山型面ｋｍの頂点ｔｐが台形状台座ＳＴの斜面ｓｌ１にあって、上方のストッパーＳｔ１までスライド板ＳＰを押し付けるか、あるいは、板バネＫの山型面ｋｍの頂点ｔｐが台形状台座ＳＴの斜面ｓｌ２にあって、下方のストッパーＳｔ２までスライド板ＳＰを押し付けることという特徴的な構成要件により、本発明が解決しようとする第１課題〜第８課題を達成することができ、当業者予測不可能な顕著な効果を奏することができた。
５５５５５＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
上記のスライド式手帳型カバー１００において、
携帯端末装置Ｐｈに内蔵のカメラを使用する場合、スライド板ＳＰをスライドさせて、携帯端末装置Ｐｈのカメラ穴ＣＨがスライド式手帳型カバー１００の外側に張り出すようにし、携帯端末装置Ｐｈに内蔵のカメラを使用しない場合、スライド板ＰＨをスライドさせて、携帯端末装置Ｐｈのカメラ穴ＣＨがスライド式手帳型カバー１００の内側に収まるようにすることを特徴とする請求項１〜４の何れかに記載されたスライド式手帳型カバー１００が開示されている。
○第５の発明の効果
第５の発明によれば、
携帯端末装置Ｐｈに内蔵のカメラを使用する場合、スライド板ＳＰをスライドさせて、携帯端末装置Ｐｈのカメラ穴ＣＨがスライド式手帳型カバー１００の外側に張り出すようにし、携帯端末装置Ｐｈに内蔵のカメラを使用しない場合、スライド板ＰＨをスライドさせて、携帯端末装置Ｐｈのカメラ穴ＣＨがスライド式手帳型カバー１００の内側に収まるようにすることという特徴的な構成要件により、本発明が解決しようとする第１課題〜第８課題を達成することができ、当業者予測不可能な顕著な効果を奏することができた。
６６６６６＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
上記のスライド式手帳型カバー１００において、
蓋部分Ｃが、蓋ｃとヒンジ部ｈと接合補助部ｓｈからなり、本体部分Ｂの中央部Ｂｃと接合補助部ｓｈの端部ｓｈ１が回転自在にピン結合されてなると共に、蓋部分Ｃの表面Ｃ１に第一の色（Ｒｄ）を着色し、蓋部分Ｃの裏面Ｃ２に第二の色（Ｂｋ）を着色してなり、本体部Ｂの裏面Ｂ２の半面Ｂ２１に第一の色（Ｒｄ）を着色し、本体部Ｂの裏面Ｂ２の半面Ｂ２２に第二の色（Ｂｋ）を着色してなり、本体部分Ｂの中央部Ｂｃと接合補助部ｓｈの端部ｓｈｅの接合部Ｂｓｈにおいて、蓋部分Ｃの表面Ｃ１の第一の色（Ｒｄ）と本体部Ｂの裏面Ｂ２の半面Ｂ２１の第一の色（Ｒｄ）とが同じになるように連続してなり、蓋部分Ｃの裏面Ｃ２の第二の色（Ｂｋ）と本体部Ｂの裏面Ｂ２の半面Ｂ２２の第二の色（Ｒｄ）が同じになるように連続してなることを特徴とする請求項１〜５の何れかに記載されたスライド式手帳型カバー１００が開示されている。
○第６の発明の効果
第６の発明によれば、
蓋部分Ｃが、蓋ｃとヒンジ部ｈと接合補助部ｓｈからなり、本体部分Ｂの中央部Ｂｃと接合補助部ｓｈの端部ｓｈ１が回転自在にピン結合されてなると共に、蓋部分Ｃの表面Ｃ１に第一の色（Ｒｄ）を着色し、蓋部分Ｃの裏面Ｃ２に第二の色（Ｂｋ）を着色してなり、本体部Ｂの裏面Ｂ２の半面Ｂ２１に第一の色（Ｒｄ）を着色し、本体部Ｂの裏面Ｂ２の半面Ｂ２２に第二の色（Ｂｋ）を着色してなり、本体部分Ｂの中央部Ｂｃと接合補助部ｓｈの端部ｓｈｅの接合部Ｂｓｈにおいて、蓋部分Ｃの表面Ｃ１の第一の色（Ｒｄ）と本体部Ｂの裏面Ｂ２の半面Ｂ２１の第一の色（Ｒｄ）とが同じになるように連続してなり、蓋部分Ｃの裏面Ｃ２の第二の色（Ｂｋ）と本体部Ｂの裏面Ｂ２の半面Ｂ２２の第二の色（Ｒｄ）が同じになるように連続してなることという特徴的な構成要件により、本発明が解決しようとする第１課題〜第８課題を達成することができ、当業者予測不可能な顕著な効果を奏することができた。
７７７７７＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
上記のスライド式手帳型カバー１００において、
本体部分Ｂの表面Ｂ１の全面に第一の色（Ｒｄ）／又は第二の色（Ｂｋ）／又は第三の色（Ｂｅ）を着色してなることを特徴とする請求項１〜６の何れかに記載されたスライド式手帳型カバー１００が開示されている。
○第７の発明の効果
第７の発明によれば、
本体部分Ｂの表面Ｂ１の全面に第一の色（Ｒｄ）／又は第二の色（Ｂｋ）／又は第三の色（Ｂｅ）を着色してなることという特徴的な構成要件により、本発明が解決しようとする第１課題〜第８課題を達成することができ、当業者予測不可能な顕著な効果を奏することができた。
８８８８８＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
上記のスライド式手帳型カバー１００において、
本体部分Ｂの中央部Ｂｃと接合補助部ｓｈの端部ｓｈｅの接合部Ｂｓｈにおいて、蓋部分Ｃの表面Ｃ１の第一の色（Ｒｄ）と本体部Ｂの裏面Ｂ２の半面Ｂ２１の第一の色（Ｒｄ）が同じになるように一枚の第一の色（Ｒｄ）のシートを張り合わせてなり、蓋部分Ｃの裏面Ｃ２の第二の色（Ｂｋ）と本体部Ｂの裏面Ｂ２の半面Ｂ２２の第二の色（Ｒｄ）が同じになるように一枚の第二の色（Ｂｋ）のシートを張り合わせてなることを特徴とする請求項１〜７の何れかに記載されたスライド式手帳型カバー１００が開示されている。
○第８の発明の効果
第８の発明によれば、
本体部分Ｂの中央部Ｂｃと接合補助部ｓｈの端部ｓｈｅの接合部Ｂｓｈにおいて、蓋部分Ｃの表面Ｃ１の第一の色（Ｒｄ）と本体部Ｂの裏面Ｂ２の半面Ｂ２１の第一の色（Ｒｄ）が同じになるように一枚の第一の色（Ｒｄ）のシートを張り合わせてなり、蓋部分Ｃの裏面Ｃ２の第二の色（Ｂｋ）と本体部Ｂの裏面Ｂ２の半面Ｂ２２の第二の色（Ｒｄ）が同じになるように一枚の第二の色（Ｂｋ）のシートを張り合わせてなることという特徴的な構成要件により、本発明が解決しようとする第１課題〜第８課題を達成することができ、当業者予測不可能な顕著な効果を奏することができた。
９９９９９＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
上記のスライド式手帳型カバー１００において、
蓋ｃの端部ｃ１に留め具ｔｇを取付けてなり、留め具ｔｇには、Ｎ極磁石Ｎ及びＳ極磁石Ｓを内蔵してなり、蓋部分Ｃを閉じる場合に留め具ｔｇと対応する本体部分には、鉄板ｉｐを内蔵してなることを特徴とするスライド式手帳型カバー１００。を特徴とする請求項１〜８の何れかに記載されたスライド式手帳型カバー１００が開示されている。
○第９の発明の効果
第９の発明によれば、
蓋ｃの端部ｃ１に留め具ｔｇを取付けてなり、留め具ｔｇには、Ｎ極磁石Ｎ及びＳ極磁石Ｓを内蔵してなり、蓋部分Ｃを閉じる場合に留め具ｔｇと対応する本体部分には、鉄板ｉｐを内蔵してなることを特徴とするスライド式手帳型カバー１００。という特徴的な構成要件により、本発明が解決しようとする第１課題〜第８課題を達成することができ、当業者予測不可能な顕著な効果を奏することができた。
１０１０１＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
上記のスライド式手帳型カバー１００において、
蓋部分Ｃの端部Ｃｅに留め具ｔｇを取付けてなり、留め具ｔｇには、Ｎ極磁石Ｎを内蔵してなり、蓋部分Ｃを閉じる場合に留め具ｔｇと対応する本体部分には、Ｓ極磁石Ｓを内蔵してなることを特徴とする請求項１〜９の何れかに記載されたスライド式手帳型カバー１００が開示されている。
○第１０の発明の効果
第１０の発明によれば、
蓋部分Ｃの端部Ｃｅに留め具ｔｇを取付けてなり、留め具ｔｇには、Ｎ極磁石Ｎを内蔵してなり、蓋部分Ｃを閉じる場合に留め具ｔｇと対応する本体部分には、Ｓ極磁石Ｓを内蔵してなることという特徴的な構成要件により、本発明が解決しようとする第１課題〜第８課題を達成することができ、当業者予測不可能な顕著な効果を奏することができた。
１１１１１＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
上記のスライド式手帳型カバー１００において、
蓋部分Ｃの端部Ｃｅに留め具ｔｇを取付けてなり、留め具ｔｇには、Ｓ極磁石Ｓを内蔵してなり、蓋部分Ｃを閉じる場合に留め具ｔｇと対応する本体部分には、Ｎ極磁石Ｎを内蔵してなることを特徴とする請求項１〜１０の何れかに記載されたスライド式手帳型カバー１００が開示されている。
○第１１の発明の効果
第１１の発明によれば、
蓋部分Ｃの端部Ｃｅに留め具ｔｇを取付けてなり、留め具ｔｇには、Ｓ極磁石Ｓを内蔵してなり、蓋部分Ｃを閉じる場合に留め具ｔｇと対応する本体部分には、Ｎ極磁石Ｎを内蔵してなることという特徴的な構成要件により、本発明が解決しようとする第１課題〜第８課題を達成することができ、当業者予測不可能な顕著な効果を奏することができた。
【図面の簡単な説明】
【０００９】
【図１】図１は、請求項１〜２に記載された本発明の斜視図である。
【図２】図２は、リバーシブルタイプの本発明の斜視図である。
【図３】図３は、本発明に係るスライド機構の正面図（（Ａ）図）、左側面図（（Ｂ）図）、底面図（（Ｃ）図）を表す。
【図４】図４は、板バネに蓄えられるエネルギーを説明する図である。  （Ａ）図は、板バネに外力が作用しない場合を説明し、（Ｂ）図は、板バネに外力が作用した場合を説明する図である。
【図５】図５は、リバーシブルタイプの本発明の使用状態が通常の場合の使用状態を表す斜視図である。
【図６】図６は、リバーシブルタイプの本発明の使用状態がリバーシブルの場合の使用状態を表す斜視図である。
【図７】図７は、本発明に係る本体不文の正面図（（Ａ）図）、背面図（（Ｂ）図）を表す。
【図８】図８は、本発明に係る蓋部分の正面図（（Ａ）図）、背面図（（Ｂ）図）を表す。
【図９】図９は、図３のＡ−Ａ断面矢視図を表す。
【図１０】図１０は、図３のＢ−Ｂ断面矢視図を表す。
【図１１】図１１は、スライド板が下側にある場合の図３のＢ−Ｂ断面矢視図を表す。板バネＫの山型部ｋｍが斜面ｓｌ２にある場合は、下方向きにバネ力を受ける。
【図１２】図１２は、スライド板が中央側にある場合の図３のＢ−Ｂ断面矢視図を表す。
【図１３】図１３は、スライド板が上側にある場合の図３のＢ−Ｂ断面矢視図を表す。スライド板が上側にある場合の図３のＢ−Ｂ断面矢視図を表す。板バネＫの山型部ｋｍが斜面ｓｌ１にある場合は、上方向きにバネ力を受ける。
【符号の説明】
【００１０】
Ｂ…本体部分
Ｃ…蓋部分Ｃ
Ｂｅ…本体部分Ｂの端部
ｈｅ…蓋部分Ｃのヒンジ部ｈの端部ｈｅ
Ｂ１…本体部分Ｂの表面
ＳＭ…スライド機構ＳＭ
ＳＦ…スライド枠
ＳＰ…スライド板ＳＰ
Ｐｈ…携帯端末装置Ｐｈ
１００…スライド式手帳型携帯ケース１００
ＣＨ…カメラ穴
Ｏｕｔ…スライド式手帳型携帯ケース１００の外側
Ｉｎ…スライド式手帳型携帯ケース１００の内側
ｓｈ…接合補助部
ｓｈｅ…接合補助部ｓｈの端部
Ｃ１…蓋部分Ｃの表面
Ｃ２…蓋部分Ｃの裏面
Ｂ２１…本体部Ｂの裏面Ｂ２の半面
Ｂ２２…本体部Ｂの裏面Ｂ２の半面
Ｂ１…本体部分Ｂの表面
Ｂ２…本体部分Ｂの裏面
ｃ１…蓋ｃの端部
ｉｐ…鉄板
ｔｇ…留め具
Ｓ…Ｓ極磁石
Ｎ…Ｎ極磁石
Ｓ…Ｓ極磁石
Ｋ…板バネ
ｋｍ…山型面
ｋｍ１…第１の山型面
ｋｍ２…第２の山型面
ｔｐ…山型部ｋｍの頂点
Ｋ１…板バネＫの下辺部
ＳＴ…台形状台座
ｓｌ１…第１の斜面
ｓｌ２…第２の斜面
ｐｌ…平面
Ｓｔ１…上方のストッパー
Ｓｔ２…下方のストッパー
【要約】      （修正有）【課題】携帯端末装置のカメラ穴を手帳型携帯ケースに空けた携帯機種専用の手帳型携帯ケースではなくて、汎用タイプの手帳型携帯ケースにスライド機構を搭載することによって携帯端末装置をスライドさせてカメラ撮影が可能なスライド式手帳型携帯ケースを提供をすることである。【解決手段】本体部分Ｂと蓋部分Ｃからなるスライド式手帳型携帯ケースにおいて、蓋部分Ｃが、蓋ｃとヒンジ部ｈからなり、本体部分Ｂの端部Ｂｅと蓋部分Ｃのヒンジ部ｈの端部ｈｅが回転自在にピン結合されてなり、本体部分Ｂの表面にスライド機構ＳＭが搭載されてなり、スライド機構ＳＭは、スライド枠ＳＦとスライド板ＳＰからなり、スライド板ＳＰがスライド枠ＳＦの間をスライドし、スライド板ＳＰの表面ＳＰ１に携帯端末装置Ｐｈを接合してなることを特徴とするスライド式手帳型携帯ケース１００。【選択図】図１【図１】
0006009704.tif 000002
【図２】
0006009704.tif 000003
【図３】
0006009704.tif 000004
【図５】
0006009704.tif 000005
【図６】
0006009704.tif 000006
【図７】
0006009704.tif 000007
【図８】
0006009704.tif 000008
【図４】
0006009704.tif 000009
【図９】
0006009704.tif 000010
【図１０】
0006009704.tif 000011
【図１１】
0006009704.tif 000012
【図１２】
0006009704.tif 000013
【図１３】
0006009704.tif 000014